(57)【特許請求の範囲】
【請求項１】
ＡＣ電源が入力されて電源を生成する電源生成部と、
前記入力されたＡＣ電源信号のゼロクロシング（ｚｅｒｏ  ｃｒｏｓｓｉｎｇ）時点を検出する検出部と、
前記検出されたゼロクロシング時点に基づいて参照信号を生成し、前記参照信号を少なくとも一つの他３Ｄディスプレイ装置に伝送する制御部と、
を含み、
前記参照信号は、
前記少なくとも一つの３Ｄディスプレイ装置から映像が出力されるタイミングを同期化させるための信号である、
ことを特徴とする３Ｄディスプレイ装置。
【請求項２】
前記制御部は、
前記検出されたゼロクロシング時点のうち少なくとも一部時点毎に、前記参照信号を生成し、参照信号を前記少なくとも一つの他３Ｄディスプレイ装置に伝送することを特徴とする請求項１に記載の３Ｄディスプレイ装置。
【請求項３】
前記制御部は、
外部から参照信号が受信されると、受信された参照信号に基づいて映像を出力することを特徴とする請求項１に記載の３Ｄディスプレイ装置。
【請求項４】
前記制御部は、
外部から参照信号が受信されると、受信された参照信号に基づいて連動する３Ｄメガネのシャッター開閉タイミングを同期化させるための同期信号を生成し、前記連動する３Ｄメガネに伝送することを特徴とする請求項１に記載の３Ｄディスプレイ装置。
【請求項５】
前記参照信号は、
前記少なくとも一つの３Ｄディスプレイ装置と連動するそれぞれの３Ｄメガネのシャッター開閉タイミングを同期化させるための信号であることを特徴とする請求項１に記載の３Ｄディスプレイ装置。
【請求項６】
ＡＣ電源が入力されるステップと、
前記入力されたＡＣ電源信号のゼロクロシング時点を検出するステップと、
前記検出されたゼロクロシング時点に基づいて参照信号を生成するステップと、
前記参照信号を少なくとも一つの他３Ｄディスプレイ装置に伝送するステップと、
を含み、
前記参照信号は、
前記少なくとも一つの３Ｄディスプレイ装置から出力される映像タイミングを同期化させるための信号である、
ことを特徴とする同期化方法。
【請求項７】
前記生成ステップは、
前記検出されたゼロクロシング時点のうち少なくとも一部時点毎に、前記参照信号を生成することを特徴とする請求項６に記載の同期化方法。
【請求項８】
前記参照信号に基づいて、「前記少なくとも一つの３Ｄディスプレイ装置のディスプレイタイミング」と「前記少なくとも一つの３Ｄディスプレイ装置と連動するそれぞれの３Ｄメガネのシャッター開閉タイミング」を同期化する同期信号を生成するステップを更に含み、
前記伝送ステップは、
前記生成された同期信号を、前記３Ｄメガネそれぞれに伝送することを特徴とする請求項６に記載の同期化方法。
【請求項９】
前記同期信号生成ステップは、
前記ゼロクロシング時点の少なくとも一部時点毎に、同期信号を生成することを特徴とする請求項８に記載の同期化方法。
【請求項１０】
外部から参照信号を受信するステップと、
前記受信された参照信号に基づいて３Ｄ映像を表示するステップと、
を更に含むことを特徴とする請求項６に記載の同期化方法。
【請求項１１】
入力されたＡＣ電源信号のゼロクロシング時点に基づいて参照信号を生成し、生成された参照信号を外部に伝送する３Ｄディスプレイである第１ディスプレイ装置と、
前記第１ディスプレイ装置から伝送された参照信号を受信し、受信された前記参照信号に基づいて映像を表示する３Ｄディスプレイである第２ディスプレイ装置と、
を含み、
前記参照信号は、
前記第１ディスプレイ装置の映像ディスプレイタイミングと前記第２ディスプレイ装置の映像ディスプレイタイミングとを同期化するための信号である、
同期化システム。
【請求項１２】
前記第１ディスプレイ装置は、
前記参照信号に基づいて、前記第１ディスプレイ装置または前記第２ディスプレイ装置と連動する複数の３Ｄメガネのシャッター開閉タイミングを同期化させるための同期信号を生成し、前記生成された同期信号を前記複数の３Ｄメガネに伝送することを特徴とする請求項１１に記載の同期化システム。
【発明の詳細な説明】
【技術分野】
【０００１】
本発明は、同期化装置、同期化方法、及び同期化システム、そしてこれを用いた３Ｄディスプレイ装置に関し、より詳細には複数のディスプレイ装置を同期化できる同期化装置、同期化方法、及び同期化システム、そしてこれを用いた３Ｄディスプレイ装置に関する。
【背景技術】
【０００２】
３Ｄ技術の発展にともない、３Ｄ映像技術を応用した多用な装置が登場しつつある。３Ｄカメラのような３Ｄ製作関連装置をはじめ、３Ｄ映像が視聴できる３ＤＴＶと、それと連動して立体感のある映像を実現する３Ｄメガネがその代表である。
【０００３】
最近では、映画やドキュメンタリーのようなエンタテイメントコンテンツが３Ｄ技術で制作され、世界的な脚光を浴びている。これに伴い、３Ｄコンテンツを開発するエンタテイメント事業者間の競争は更に激化し、３Ｄディスプレイ装置を生産するメーカーも技術確保に躍起になっている。
【０００４】
３Ｄディスプレイ装置は既に普及されており、これにより３Ｄ映像の質の向上と視聴の便宜性の向上を求めるユーザの声が一層高まっている。
【０００５】
茶の間へと普及された３Ｄ映像の視聴のためのシステムの中核にあるのは、３ＤＴＶのような３Ｄディスプレイ装置、そして３Ｄディスプレイ装置と連動して立体感のある映像を創出するための３Ｄメガネであろう。
【０００６】
立体感のある映像を実現するためには、３Ｄディスプレイ装置と３Ｄメガネが同期化しなければならない。即ち、３Ｄディスプレイ装置における映像出力タイミングが３Ｄメガネの左眼／右眼シャッターの開閉タイミングと同期化する際に、３Ｄメガネを着用したユーザは３Ｄディスプレイ装置から出力される３Ｄ映像から立体感を感じるようになるのである。
【０００７】
このような３Ｄディスプレイ装置と３Ｄメガネの同期化は、単数の３Ｄディスプレイ装置と３Ｄメガネである場合には大して問題にならないが、複数の３Ｄディスプレイ装置がある場合に、同期化が困難であるという問題がある。即ち、ユーザは同期が取れていないディスプレイ装置から出力される正常でない３Ｄ映像を視聴することになるのである。このような問題は、大型デパートにディスプレイされた複数の３Ｄディスプレイ装置を想像すれば、容易に理解できる。
【先行技術文献】
【特許文献】
【０００８】
【特許文献１】日本特開第２００３−０１６８１３６号公報
【特許文献２】韓国特開第２００８−００５５０８１号公報
【特許文献３】日本特開第２００２−００９５０１８号公報
【特許文献４】日本特開第１９９５−００６７１４３号公報
【発明の概要】
【発明が解決しようとする課題】
【０００９】
そこで、本発明は、上記問題に鑑みてなされたものであり、本発明の目的とするところは、複数の３Ｄディスプレイ装置が同期化して映像を出力できるようにする同期化装置、同期化方法、及び同期化システム、そしてこれを用いた３Ｄディスプレイ装置を提供することにある。
【課題を解決するための手段】
【００１０】
本発明の別の目的は、複数の３Ｄディスプレイ装置と連動する複数の３Ｄメガネのシャッター開閉タイミングを同期化できるようにする同期化装置、同期化方法、及び同期化システム、そしてこれを用いた３Ｄディスプレイ装置を提供することにある。
【００１１】
上述の目的を達成するための本発明の一実施形態に係る３Ｄディスプレイ装置は、ＡＣ電源が入力されて電源を生成する電源生成部と、前記入力されたＡＣ電源信号のゼロクロシング（ｚｅｒｏ  ｃｒｏｓｓｉｎｇ）時点を検出する検出部と、前記検出されたゼロクロシング時点に基づいて参照信号を生成し、前記参照信号を少なくとも一つの他３Ｄディスプレイ装置に伝送する制御部とを含む。
【００１２】
なお、前記制御部は、前記検出されたゼロクロシング時点のうち少なくとも一部時点毎に、前記参照信号を生成し、参照信号を前記少なくとも一つの他３Ｄディスプレイ装置に伝送することが望ましい。
【００１３】
そして、前記制御部は、外部から参照信号が受信されると、受信された参照信号に基づいて映像を出力することが望ましい。
【００１４】
なお、前記制御部は、外部から参照信号が受信されると、受信された参照信号に基づいて連動する３Ｄメガネのシャッター開閉タイミングを同期化させるための同期信号を生成し、前記連動する３Ｄメガネに伝送することが望ましい。
【００１５】
そして、前記参照信号は、前記少なくとも一つの３Ｄディスプレイ装置から出力される映像タイミングを同期化させるための信号であることが望ましい。
【００１６】
なお、前記参照信号は、前記少なくとも一つの３Ｄディスプレイ装置と連動するそれぞれの３Ｄメガネのシャッター開閉タイミングを同期化させるための信号であってよい。
【００１７】
一方、本発明の一実施形態に係る同期化装置は、ＡＣ電源が入力されて電源を生成する電源生成部と、前記入力されたＡＣ電源信号のゼロクロシング時点を検出する検出部と、前記検出されたゼロクロシング時点に基づいて複数の３Ｄディスプレイ装置の映像出力タイミングを同期化させるための参照信号を生成し、前記参照信号を複数の３Ｄディスプレイ装置に伝送する制御部とを含む。
【００１８】
なお、前記制御部は、前記ゼロクロシング時点の少なくとも一部時点毎に、前記参照信号を生成することが望ましい。
【００１９】
そして、本実施形態に係る同期化装置は、前記参照信号に基づいて、前記複数の３Ｄディスプレイ装置のディスプレイタイミングと複数の３Ｄメガネのシャッター開閉タイミングを同期化する同期信号を生成する同期信号生成部を更に含み、前記制御部は、前記生成された同期信号を前記複数の３Ｄメガネそれぞれに伝送することが望ましい。
【００２０】
一方、上述の問題を解決するための本発明の一実施形態に係る同期化方法は、ＡＣ電源が入力されるステップと、前記入力されたＡＣ電源信号のゼロクロシング時点を検出するステップと、前記検出されたゼロクロシング時点に基づいて参照信号を生成するステップと、前記参照信号を少なくとも一つの他３Ｄディスプレイ装置に伝送するステップとを含む。
【００２１】
そして、前記生成ステップは、前記検出されたゼロクロシング時点のうち少なくとも一部時点毎に、前記参照信号を生成することが望ましい。
【００２２】
なお、前記参照信号は、前記少なくとも一つの３Ｄディスプレイ装置から出力される映像タイミングを同期化させるための信号であることが望ましい。
【００２３】
そして、本発明の一実施形態に係る同期化方法は、前記参照信号に基づいて、「前記少なくとも一つの３Ｄディスプレイ装置のディスプレイタイミング」と「前記少なくとも一つの３Ｄディスプレイ装置と連動するそれぞれの３Ｄメガネのシャッター開閉タイミング」を同期化する同期信号を生成するステップを更に含み、前記伝送ステップは、前記生成された同期信号を、前記３Ｄメガネそれぞれに伝送することが望ましい。
【００２４】
なお、前記同期信号生成ステップは、前記ゼロクロシング時点の少なくとも一部時点毎に、同期信号を生成することが望ましい。
【００２５】
そして、本発明の一実施形態に係る同期化方法は、外部から参照信号を受信するステップと、前記受信された参照信号に基づいて３Ｄ映像を表示するステップとを更に含むことが望ましい。
【００２６】
一方、上述の問題を解決するための本発明の一実施形態に係る同期化システムは、入力されたＡＣ電源信号のゼロクロシング時点に基づいて参照信号を生成し、生成された参照信号を外部に伝送する第１ディスプレイ装置と、前記第１ディスプレイ装置から伝送された参照信号を受信し、受信された前記参照信号に基づいて映像を表示する第２ディスプレイ装置とを含む。
【００２７】
そして、前記参照信号は、前記第１ディスプレイ装置の映像ディスプレイタイミングと前記第２ディスプレイ装置の映像ディスプレイタイミングを同期化するための信号であることが望ましい。
【００２８】
なお、前記第１ディスプレイ装置は、前記参照信号に基づいて、前記第１ディスプレイ装置または前記第２ディスプレイ装置と連動する複数の３Ｄメガネのシャッター開閉タイミングを同期化させるための同期信号を生成し、前記生成された同期信号を前記複数の３Ｄメガネに伝送することが望ましい。
【００２９】
そして、前記第２ディスプレイ装置は、前記受信された参照信号に基づいて、前記第１ディスプレイ装置または前記第２ディスプレイ装置と連動する複数の３Ｄメガネのシャッター開閉タイミングを同期化させるための同期信号を生成し、前記生成された同期信号を前記複数の３Ｄメガネに伝送することが望ましい。
【００３０】
なお、前記第１ディスプレイ装置及び前記第２ディスプレイ装置は、３Ｄ映像を表示するディスプレイ装置であり、前記映像は３Ｄ映像であることが望ましい。
【発明の効果】
【００３１】
本発明の多様な実施形態に係る同期化装置、同期化方法、及び同期化システム、そしてこれを用いた３Ｄディスプレイ装置によると、複数の３Ｄディスプレイ装置が同期化して映像を出力することができる環境を提供するようになる。
【００３２】
なお、複数の３Ｄディスプレイ装置と連動する複数の３Ｄメガネのシャッター開閉タイミングを同期化し、複数の３Ｄ映像が表示される場合であっても、ユーザが歪みのない３Ｄ映像を視聴することができる環境を提供できるようになる。
【図面の簡単な説明】
【００３３】
【図１】本発明が解決しようとする課題を説明するための図である。
【図２】本発明の一実施形態が適用可能な同期化装置の構成を示すブロック図である。
【図３】本発明の技術的思想が適用可能な３Ｄディスプレイ装置の構成を示すブロック図である。
【図４】本発明が適用可能な別の実施形態に係る同期信号装置の構成を示すブロック図である。
【図５】本発明の一実施形態に係る同期化システムであって、参照信号を受け取る３Ｄディスプレイ装置の動作を説明するための図である。
【図６】本発明の一実施形態に係る同期化装置に含まれた電源生成部及び検出部の多様な構成例を示す図である。
【図７】本発明の一実施形態に係る同期化方法であって、ＡＣ電源信号を介して検出部でゼロクロシング時点の検出を通じた出力信号を示す図である。
【図８】本発明の一実施形態に係る同期化方法であって、ゼロクロシング時点の検出を通じた出力信号から生成される参照信号を示す図である。
【図９Ａ】本発明の一実施形態に係る同期化方法に係る効果を説明するための図である。
【図９Ｂ】本発明の一実施形態に係る同期化方法に係る効果を説明するための図である。
【図１０】本発明の一実施形態に係る同期化装置の一構成例を示す図である。
【図１１】本発明の一実施形態に係る同期化装置の別の構成例を示す図である。
【図１２】本発明の一実施形態に係る同期化方法を示すフローチャートである。
【図１３】本発明の別の実施形態に係る同期化方法を示すためのフローチャートである。
【発明を実施するための形態】
【００３４】
以下に添付図面を参照しながら、本発明についてより詳細に説明する。
【００３５】
図１は、本発明が解決しようとする課題を説明するための図である。図１に示されるように、複数の３ＤＴＶ１０、２０があって、一つの３Ｄメガネ３０が存在し、３Ｄメガネ３０は３ＤＴＶ１１０と同期化している状態である。即ち、３ＤＴＶ１１０の左眼映像が出力されるタイミングに３Ｄメガネ３０の左眼シャッターのみがオープンされ、３ＤＴＶ１１０の右眼映像が出力されるタイミングには３Ｄメガネ３０の右眼シャッターのみがオープンされてユーザは立体映像を鑑賞できるようになる。
【００３６】
ところが、３ＤＴＶ２２０から出力される映像の場合、３ＤＴＶ１１０から出力される場合と同様の映像であっても、映像が出力されるタイミングが３Ｄメガネ３０のシャッター開閉タイミングと同期化していない場合に、ユーザは３Ｄメガネ３０を介して３ＤＴＶ２２０から出力される３Ｄ映像を視聴することが困難になる。
【００３７】
図１に示されたグラフによると、３ＤＴＶ１１０から出力される３Ｄ映像の出力タイミング１５と、３ＤＴＶ２２０から出力される３Ｄ映像の出力タイミング２５とが互いに異なり、３Ｄメガネのシャッター開閉タイミング３５は、３ＤＴＶ１１０から出力される３Ｄ映像の出力タイミング１５にのみ同期化しているため、３ＤＴＶ２２０から出力される映像は歪んだ映像で映る。
【００３８】
図２は、上述の問題を解決するための本発明の一実施形態が適用可能な同期化装置の構成を示すブロック図である。
【００３９】
本発明の一実施形態に係る同期化装置は、電源生成部１００、検出部１１０及び制御部１２０を含む。
【００４０】
電源生成部１００は、入力されるＡＣ信号から電源を生成し、生成された電源を供給する機能を持つ。
【００４１】
検出部１１０は、電源生成部１００から入力されたＡＣ電源信号のゼロクロシング時点を検出する機能を持つ。ＡＣ電源信号のゼロクロシング時点とは、ＡＣ電圧が＋から−に変換する瞬間や、−から＋に変換する瞬間のＯＶ状態になる時点のことをいう。即ち、検出部１１０は周期的に変わるＡＣ電源信号でＯＶ状態になる時点を検出するようになる。
【００４２】
ゼロクロシング時点を検出する方法と関連しては、既存の多様な方法を用いてゼロクロシング検出回路などで構成されることができ、これは本発明が属する技術分野の通常の知識を有する者には自明な事項であるため、詳細な説明は省略する。
【００４３】
一方、制御部１２０は、検出部１１０から検出したゼロクロシング時点に基づいて参照信号を生成し、外部装置に伝送する機能を持つ。具体的に、前記参照信号はゼロクロシング時点の全てに対して参照信号を設定して構成されることもでき、一定の周期に該当する時点に対して参照信号を設定して構成されることもできる。即ち、ゼロクロシング時点のうち少なくとも一部の時点毎に、参照信号を生成するようになる。
【００４４】
そして、制御部１２０で生成して伝送された参照信号は、これを受信したディスプレイ装置から映像が出力されるタイミングを同期化させるための信号である。
【００４５】
図３に示されるような構成を持つ同期化装置は、単独で存在することもでき、電源生成部１００を含む別の電子装置、例えば、２Ｄ或いは３Ｄディスプレイ装置などにも適用されることができる。従って、以下では、図３に示された構成を含むディスプレイ装置について詳細に説明することにする。
【００４６】
図３は、本発明の技術的思想が適用可能な３Ｄディスプレイ装置の構成を示すブロック図である。本実施形態に係るディスプレイ装置は、電源生成部２００、検出部２１０、参照信号生成部２２０、同期信号生成部２３０、制御部２４０、映像処理部２５０、３Ｄ処理部２６０、映像出力部２７０及び通信部２８０を含む。
【００４７】
電源生成部２００、検出部２１０は図２を参照しての説明と同様である。一方、参照信号生成部２２０は制御部２４０の制御によって検出部２１０から検出されたゼロクロシング時点から参照信号を生成する機能を持つ。本実施形態では参照信号生成部２２０を別途の構成として含めたが、検出部２１０から生成されたゼロクロシング時点そのものを参照信号に設定する場合には、参照信号生成部２２０の構成が省略されることができる。
【００４８】
映像処理部２５０は、生成された参照信号及び映像を受信し、受信された参照信号及び映像を３Ｄ処理部２６０に伝送する。具体的に、３Ｄ処理部２６０は参照信号に基づいて、入力された映像に含まれた左眼映像及び右眼映像を交互に出力するように、映像信号を処理する。一方、受信された参照信号を同期信号生成部２３０に伝送し、同期信号生成部２３０により３Ｄメガネのシャッター開閉タイミングと同期化できる同期信号を生成する。このように生成された同期信号は３Ｄメガネに伝送され、映像出力部２７０での映像出力タイミングと３Ｄメガネのシャッター開閉タイミングとが同期化できるようにする。一方、本説明においては、３Ｄ処理部２６０を別個の構成として想定して説明したが、別の実施形態では映像処理部２５０が３Ｄ処理部２６０の機能を含むことができることはいうまでもない。
【００４９】
制御部２４０は、本実施形態に係るディスプレイ装置の全般の動作を制御する。一方、制御部２４０は通信部２８０を制御し、参照信号を複数の外部３Ｄディスプレイ装置２９５、２９６、…に伝送する機能を持つ。参照信号を伝送された複数の外部３Ｄディスプレイも受信した参照信号に基づいて映像信号を出力することにより、本実施形態に係るディスプレイ装置での映像出力タイミングと同期化するようになる。
【００５０】
図３では機能別で、参照信号生成部２２０、同期信号生成部２３０、通信部２８０など、信号を生成する構成及び信号を伝送する構成を別途の構成として想定して示したが、これの説明の便宜のためのものであって、別の実施形態ではこのような機能を同時に持つ一つ以上のプロセッサーで構成されることができることはいうまでもない。
【００５１】
図４は、本発明が適用可能な別の実施形態に係る同期信号装置の構成を示すブロック図である。
【００５２】
本実施形態に係る同期信号装置は、電源生成部３００、検出部３１０、同期信号生成部３２０及び制御部３３０を含む。
【００５３】
電源生成部３００、検出部３１０の機能は上述と同様であり、本実施形態では同期信号生成部３２０が検出部３１０から検出されたゼロクロシング時点に基づいて同期信号を生成する。同期信号は少なくとも一つ以上の３Ｄメガネ３４１、３４２、３４３…を同期化させるための信号である。
【００５４】
一方、制御部３３０は、検出部３１０から検出されたゼロクロシング時点に基づいて参照信号を生成し、生成された参照信号を少なくとも一つ以上の３Ｄディスプレイ装置３５１、３５２、３５３…に伝送する機能を持つ。
【００５５】
これで、複数の３Ｄディスプレイ装置の映像出力タイミングと複数の３Ｄメガネのシャッター開閉タイミングが同期化して、不便なく３Ｄ映像を鑑賞できる環境が提供される。
【００５６】
図４では、制御部３３０が検出部３１０から検出されたゼロクロシング時点に基づいて直ちに参照信号を生成するものとして想定して説明したが、生成される参照信号はゼロクロシング時点毎に参照信号が生成されることもでき、ゼロクロシング時点の一部時点に対してのみ参照信号が生成されることもできる。例えば、２周期に一度、或いは３周期に一度参照信号を生成することが考えられる。
【００５７】
図５は、本発明の一実施形態に係る同期化システムにおいて、参照信号を受け取る３Ｄディスプレイ装置の動作を説明するための図である。本実施形態に係る同期化システムに含まれた３Ｄディスプレイ装置は、受信部４００、同期信号生成部４１０、映像処理部４２０、制御部４３０、映像出力部４４０及び３Ｄメガネ４５０を含む。
【００５８】
受信部４００は、参照信号及び映像を入力され、参照信号を同期信号生成部４１０に提供し、入力された映像信号及び参照信号は映像処理部４２０に提供する。
【００５９】
同期信号生成部４１０は、受信した参照信号に基づいて同期信号を生成し、３Ｄメガネ４５０に伝送する。同期信号の伝送は、主に赤外線信号やＲＦ（Ｒａｄｉｏ  Ｆｒｅｑｕｅｎｃｙ）信号を用いて行なわれる。
【００６０】
映像処理部４２０は、受信された映像を受信された参照信号に基づいて出力できるように、信号処理して映像出力部４４０に提供する。
【００６１】
映像出力部４４０は、提供された映像信号を参照信号に基づいて出力するようになる。具体的に、受信した映像信号が３Ｄ映像である場合、左眼映像及び右眼映像の出力タイミングを受信した参照信号に合わせて映像を出力するようになる。
【００６２】
制御部４３０は、受信部４００、同期信号生成部４１０及び映像処理部４２０を制御し、上述の全般の動作に関与する。
【００６３】
これにより、入力された映像の出力タイミングと３Ｄメガネのシャッター開閉タイミングとが同期化することは無論のこと、参照信号を送信した外部ディスプレイ装置、または、同一の参照信号を受信した外部ディスプレイ装置とも映像出力タイミングが同期化して、ユーザに３Ｄ映像を提供できる環境を提供するようになる。
【００６４】
図６は、本発明の一実施形態に係る同期化装置に含まれた電源生成部及び検出部の多様な構成例を示す。
【００６５】
即ち、図６の左側に示されるように、電源生成部５００は検出部５１０を含む構成である。この場合、電源生成部５００は入力されたＡＣ電源信号に基づき、ゼロクロシング時点を検出する機能を含むことができる。
【００６６】
一方、図６の右側に示されるように、電源生成部５００及び検出部５１０が並列的に構成されることもできる。この場合には、検出部５１０はＡＣ電源信号を受信することにおいて、電源生成部５００を介して受信するのではなく、直接ＡＣ電源信号を受信してゼロクロシング時点を検出するようになる。
【００６７】
図６では、電源生成部５００及び検出部５１０の多様な回路構成を示しており、特に電源生成部５００が検出部５１０と並列で接続された回路構成である場合には、本発明の技術的思想が適用できる３Ｄディスプレイ装置または同期化装置において、電源生成部５００が省略できる。
【００６８】
以下では、図７及び図８を参照しながら、本発明の一実施形態に係る参照信号の生成過程について詳細に説明する。
【００６９】
図７は、ＡＣ電源信号を通じて検出部５１０からゼロクロシング時点を検出する方法を示している。
【００７０】
検出部５１０は、ＡＣ電源信号のゼロクロシング時点に基づいて多様な出力を生成することができる。即ち、一定期間毎に連続的な信号を生成することもでき、特定時点に対して離散的な信号を生成することもできる。
【００７１】
参照番号６０１ないし６０５は、検出部５１０から検出したゼロクロシング時点に基づいた多様な形態の出力信号を示す。
【００７２】
一方、図８では、検出部５１０から出力された多様な出力値６０１ないし６０５に基づいて、参照信号を生成する過程を示す。参照信号生成部６１０は、検出部５１０から出力された多様な出力信号６０１ないし６０５に基づいて参照信号を生成するようになる。
【００７３】
例えば、ゼロクロシング時点毎に参照信号を設定する場合、参照番号６０２に示されたような出力信号に基づいて参照信号を生成し、一周期毎に参照信号を設定する場合には、参照番号６０３に示されたような形態の信号が参照信号として生成される。
【００７４】
図８は、一周期毎に参照信号が設定されて生成された参照信号６２１の生成過程を示す。
【００７５】
図７及び図８を参照しての説明において、参照信号生成部６１０を別途の構成として想定して説明したが、ゼロクロシング時点毎に参照信号を生成する場合には、検出部５１０から出力された出力値そのものが参照信号として用いられることができるため、参照信号生成部６１０が省略されても構わない。
【００７６】
以下では、図９Ａ及び図９Ｂを参照しながら、本発明の一実施形態に係る同期化方法に係る効果を従来の方法と比較して説明する。一方、理解を促すために、複数の３Ｄディスプレイ装置は、二つの３ＤＴＶに限定して説明する。
【００７７】
従来の場合、図９Ａに示されるように、３ＤＴＶ１７００から出力される映像７０１は、左眼映像と右眼映像とを同期信号７０２に合わせて出力するようになる。即ち、一番目の同期信号が出力される時点で、左眼映像と右眼映像とが交互に出力され、再び二番目の同期信号が出力される時点で左眼映像と右眼映像とが交互に出力される方式で、３Ｄ映像を出力する。これに合わせて、３ＤＴＶ１７００と同期化している３Ｄメガネ７２０は、左眼映像が出力される時点に合わせて左眼シャッターをオープンし、右眼映像が出力される時点に合わせて右眼シャッターをオープンし、このような３Ｄメガネシャッターの開閉タイミングは３ＤＴＶ１７００から出力される同期信号７０２に基づくようになる。
【００７８】
しかしながら、同様の空間内で別のディスプレイ装置である３ＤＴＶ２７１０が動作している場合、同一の映像を出力するとしても、３ＤＴＶ２７１０は別の同期信号７１２に基づいて映像が出力７１１されているため、示されるように３ＤＴＶ１７００から出力される映像出力タイミング７０１と３ＤＴＶ２７１０から出力される映像出力タイミング７１１は互いに一致しなくなる。
【００７９】
この時、３ＤＴＶ１７００から伝送される同期信号に合わせて動作する３Ｄメガネを着用したユーザが３ＤＴＶ２７１０を見る場合、映像の出力タイミングと３Ｄメガネのシャッター開閉タイミングが一致しないため、歪みのない３Ｄ映像を鑑賞しにくくなる。
【００８０】
しかしながら、本発明の一実施形態に係る同期化方法によると、図９Ｂに示されるように、３ＤＴＶ１８００と３ＤＴＶ２８１０から出力される映像出力タイミングと同一になるため、３Ｄメガネが３ＤＴＶ１８００または３ＤＴＶ２８１０のいずれかのディスプレイ装置に同期化しているとしても、両ディスプレイ装置から出力される３Ｄ映像を鑑賞するのには、問題がなくなる。
【００８１】
具体的に、上記で説明した方式によって生成された参照信号８３０は、３ＤＴＶ１８００及び３ＤＴＶ２８１０に伝送される。ここで、参照番号８３０はＡＣ電圧信号のゼロクロシング時点に基づいて生成された信号であり、本説明において、参照信号８３０は外部同期化装置で生成されて、３ＤＴＶ１８００及び３ＤＴＶ２８１０に伝送すると説明したが、これとは違って、ＴＶ１８００で生成され、３ＤＴＶ２８１０に伝送されることもできることは上述と同様である。
【００８２】
３ＤＴＶ１８００が参照信号８３０に基づき、３Ｄ映像の左眼映像と右眼映像とを交互に出力８０１する一方で、３ＤＴＶ２８１０も参照信号８３０に基づいて、映像出力８１１がなされるため、両ディスプレイ装置から出力される映像出力タイミングが同期化できるようになる。一方、３Ｄメガネの動作８２０も、参照信号８３０に基づいて生成された同期信号に基づくため、二つの３ＤＶ８００、８１０の映像出力タイミング及び３Ｄメガネのシャッター開閉タイミングが同期化して動作するようになり、ユーザは３Ｄメガネを着用していずれかのＴＶを見ても歪みのない３Ｄ映像を鑑賞できるようになる。
【００８３】
以下では、本発明の一実施形態に係る同期化装置の多様な構成例を図１０及び図１１を参照しながら説明する。図１０及び図１１も上述したディスプレイ装置または同期化装置が含まれる構成と同様の構成要素を含めており、含まれた構成要素の一部が省略されることは上述の内容と同様である。
【００８４】
図１０に示される同期化装置の一構成例は、同期化装置９９０で参照信号を生成し、複数の３Ｄディスプレイ装置に参照信号を伝送することにより、参照信号を受信したそれぞれの３Ｄディスプレイ装置から出力される映像出力タイミングを同期化させる構成を持つ。
【００８５】
即ち、電源生成部９００、検出部９１０及び参照信号生成部９２０を経て生成された参照信号がそれぞれの映像処理部９３０、１０００に伝送され、それぞれのディスプレイ装置は受信した参照信号に基づいてそれぞれの映像出力部９６０、１０４０を介して３Ｄ映像を出力する一方で、それぞれの同期信号生成部９４０、１０１０に参照信号を伝送し、これに基づいた同期信号を生成して３Ｄメガネ９５０、１０２０に伝送するようになる。
【００８６】
これにより、両３Ｄディスプレイ装置の映像出力部９６０、１０４０から出力される映像出力タイミングと、これと連動する両３Ｄメガネ９５０、１０２０のシャッター開閉タイミングが同期化して動作できる環境を提供するようになる。
【００８７】
一方、図１１に示される同期化装置の一構成例は、生成された参照信号がそれぞれの３Ｄディスプレイ装置に伝送される一方で、同期信号生成部１１３０に伝送される。参照信号を受信した同期信号生成部１１３０は、３Ｄメガネに伝送される同期信号を生成し、それぞれの３Ｄメガネ１１４０、１２２０に伝送し、３Ｄメガネのシャッター開閉タイミングを同期化させることができる。
【００８８】
即ち、図１１に示される同期化装置１１９０の構成は、図１０に示された同期化装置９９０の構成に加え、同期信号生成部１１３０を更に含めている。これにより、それぞれの３Ｄディスプレイ装置は同期化装置１１９０から受信した参照信号に基づいて３Ｄ映像を表示すればよいため、別途に同期信号を生成して３Ｄメガネに伝送する必要がなくなる。これにより、３Ｄディスプレイ装置の構成を簡素化できるだけでなく、如何なる映像ディスプレイであっても、３Ｄ映像を再生できさえすれば、ユーザが３Ｄメガネを介して３Ｄ映像を鑑賞できるようになる。
【００８９】
これまでは、本発明の技術的思想が適用され得る多様な装置及びその構成について説明してきたが、最後に同期化方法に関連して図１２及び図１３のフローチャートを参照しながら説明する。
【００９０】
図１２に示された本発明の一実施形態に係る同期化方法によると、まずＡＣ電源を入力され（Ｓ１３００）、入力されたＡＣ電源信号のゼロクロシング時点を検出する（Ｓ１３１０）。検出されたゼロクロシング時点に基づいて参照信号を生成し（Ｓ１３２０）、生成された参照信号は複数の３Ｄディスプレイ装置に伝送される（Ｓ１３３０）。
【００９１】
第１ディスプレイ装置及び第２ディスプレイ装置は、伝送された参照信号を受信し（Ｓ１３４０−１、Ｓ１３４０−２）、これに基づいて、３Ｄメガネ同期信号を生成する（Ｓ１３５０−１、Ｓ１３５０−２）。生成された同期信号は再びそれぞれのディスプレイ装置と連動する３Ｄメガネに伝送される（Ｓ１３６０−１、Ｓ１３６０−２）。一方、第１ディスプレイ装置及び第２ディスプレイ装置は、生成された同期信号の伝送とともに、参照信号に基づいて３Ｄ映像を出力（Ｓ１３７０−１、Ｓ１３７０−２）することにより、ユーザに３Ｄ映像を提供する。
【００９２】
そして、第１ディスプレイ装置及び第２ディスプレイ装置と連動するそれぞれの３Ｄメガネは、伝送された同期信号を受信し（Ｓ１３８０−１、Ｓ１３８０−２）、受信した同期信号に基づいて左眼シャッターと右眼シャッターとを交互に開閉し（Ｓ１３９０−１、Ｓ１３９０−２）、ユーザに立体感のある映像を視聴できるような環境を提供する。
【００９３】
一方、図１３に示された本発明の一実施形態に係る同期化方法によると、まずＡＣ電源を入力され（Ｓ１４００）、入力されたＡＣ電源のゼロクロシング時点を検出する（Ｓ１４１０）。ここで、検出されたゼロクロシング時点に基づいて参照信号を生成（Ｓ１４２０）するだけでなく、３Ｄメガネを同期化するための同期信号まで生成する（Ｓ１４３０）。次に、生成された参照信号は第１ディスプレイ装置及び第２ディスプレイ装置に伝送（Ｓ１４４０）し、３Ｄメガネを同期化するための同期信号も第１ディスプレイ装置及び第２ディスプレイ装置と連動する第１３Ｄメガネ及び第２３Ｄメガネに伝送される（Ｓ１４５０）。
【００９４】
第１ディスプレイ装置及び第２ディスプレイ装置は、参照信号を受信し（Ｓ１４６０−１、Ｓ４６０−２）、受信した参照信号に基づいて左眼映像及び右眼映像を交互に出力し（Ｓ１４７０−１、Ｓ１４７０−２）、ユーザに立体感のある映像を提供する。
【００９５】
一方、第１ディスプレイ装置と連動する第１３Ｄメガネ及び第２ディスプレイ装置と連動する第２３Ｄメガネは、同期信号を受信し（Ｓ１４８０−１、Ｓ１４８０−２）、受信した同期信号に基づいて左眼シャッター及び右眼シャッターを開閉し（Ｓ１４９０−１、Ｓ１４９０−２）、ユーザに立体感のある映像を視聴できるような環境を提供する。
【００９６】
上述の本発明の説明において、ほぼ複数のディスプレイ装置を二つに限定して説明したが、これは説明の便宜上のためのものであり、本発明が解決しようとする課題とその解決原理に鑑みると、これに限定されずに多数のディスプレイ装置に適用され得ることは当業者にとって自明である。
【００９７】
なお、ディスプレイ装置を３ＤＴＶに限定した説明に関しても、これに限らずに、３Ｄ映像を提供する如何なるディスプレイ装置に適用できることはいうまでもない。
【００９８】
本発明の多様な実施形態に係る同期化装置、同期化方法、及び同期化システム、そしてこれを用いた３Ｄディスプレイ装置によると、複数の３Ｄディスプレイ装置が同期化して映像を出力できる環境を提供できるようになる。
【００９９】
なお、複数の３Ｄディスプレイ装置と連動する複数の３Ｄメガネのシャッター開閉タイミングを同期化して複数の３Ｄ映像が表示される場合にも、ユーザが歪みのない３Ｄ映像を視聴できる環境を提供されるようになる。
【０１００】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【図１】
0005844533.tif 000002
【図２】
0005844533.tif 000003
【図３】
0005844533.tif 000004
【図４】
0005844533.tif 000005
【図５】
0005844533.tif 000006
【図６】
0005844533.tif 000007
【図７】
0005844533.tif 000008
【図８】
0005844533.tif 000009
【図９Ａ】
0005844533.tif 000010
【図９Ｂ】
0005844533.tif 000011
【図１０】
0005844533.tif 000012
【図１１】
0005844533.tif 000013
【図１２】
0005844533.tif 000014
【図１３】
0005844533.tif 000015